(57)【特許請求の範囲】
【請求項１】
上面に台状に突出した台状部を有するとともに、前記台状部に上方開口を有したポスト本体と、前記上方開口を開閉する上蓋とを備え、前記ポスト本体の上面において前記台状部の周囲となる部位から突出するように支持部を設け、かつ前記上蓋に被支持部を設け、前記支持部及び前記被支持部を介して前記ポスト本体に前記上蓋を回転可能に支持させたポストであって、
前記上蓋において前記ポスト本体の上面に対向する内表面には、前記支持部と前記台状部との間となる部位に前記ポスト本体の上面に向けて突出する隔壁部を設けたことを特徴とするポスト。
【請求項２】
前記支持部には、前記上蓋の内表面に向けて突出し、かつ前記上蓋の回転軸芯に沿って延在する止水リブを設けたことを特徴とする請求項１に記載のポスト。
【請求項３】
前記ポスト本体の上面に対して前記上蓋の上部外表面を傾斜させたことを特徴とする請求項１に記載のポスト。
【請求項４】
前記台状部において前記上方開口の周囲全周となる部位に上方に向けて開口周壁部を突設したことを特徴とする請求項１に記載のポスト。
【請求項５】
前記台状部は、前記ポスト本体の縁部に向けて漸次低くなる傾斜面を有したことを特徴とする請求項１に記載のポスト。
【請求項６】
前記上蓋は、前端から垂下する前壁部を有したものであり、
前記前壁部の下縁部には、前方に向けて突起を設けたことを特徴とする請求項１に記載のポスト。
【請求項７】
前記ポスト本体において前記前壁部の下端に対向する部位には、前方に向けて漸次下方となるように傾斜する傾斜部を設けたことを特徴とする請求項６に記載のポスト。
【発明の詳細な説明】
【技術分野】
【０００１】
本発明は、ポスト本体の上部に上方開口を有したポストに関するものである。
【背景技術】
【０００２】
ポストには、投函用の開口がポスト本体の上面に設けられたものがある。投函用の開口は、ポスト本体の上面に設けられた台状部の上端部に形成されている。また、ポスト本体の上部には、投函用開口を開閉するための上蓋が設けられている。上蓋は、例えばポスト本体に向けて突出する被支持部を備えており、ポスト本体の上面から突出する支持部との間にヒンジ軸を貫通することによってポスト本体に回転可能に支持されている。この種のポストによれば、上蓋によって投函用開口を閉じることにより、雨水等の水がポスト本体の内部に浸入するのを防止することができる。また、投函用開口自体がポスト本体の上面よりも高い位置に形成されているため、ポスト本体の上面を伝って投函用開口からポスト本体の内部に水が浸入するのを防止することができる（例えば、特許文献１参照）。
【先行技術文献】
【特許文献】
【０００３】
【特許文献１】特開２０１３−２１２１９４号公報
【発明の概要】
【発明が解決しようとする課題】
【０００４】
ところで、上蓋の開閉操作性を考慮すると、上蓋の大きさはポスト本体の上面よりも小さく構成する必要がある。例えば、壁面を背にしてポストが取り付けられる場合には、壁面と上蓋の後縁との間に隙間が無ければ、上蓋を開くことが困難となる。しかしながら、上蓋の大きさがポスト本体の上面よりも小さい状態においては、降雨等の水がポスト本体の上面に直接滴下することになる。このため、滴下する水の勢いが強い場合には、ポスト本体の上面で跳ね返った水が上蓋の内表面に付着し、そのまま内表面を伝ってポスト本体の内部に至るおそれがある。
【０００５】
こうした問題に対処するには、上蓋の周囲からポスト本体の上面に向けてヒレ部を突出することが考えられる。すなわち、上蓋の周囲からヒレ部を突出させれば、ポスト本体の上面で反射する水が上蓋の内表面に付着する事態を防止することができようになる。しかしながら、ヒンジ軸を介してポスト本体に支持させた縁部においては、上蓋を開いた際にヒレ部がポスト本体の上面に干渉しないように突出寸法を制限する必要があり、反射した水の浸入を防止することが難しい。
【０００６】
本発明は、上記実情に鑑みて、上蓋の開閉操作性を損なうことなく止水性を向上することのできるポストを提供することを目的とする。
【課題を解決するための手段】
【０００７】
上記目的を達成するため、本発明に係るポストは、上面に台状に突出した台状部を有するとともに、前記台状部に上方開口を有したポスト本体と、前記上方開口を開閉する上蓋とを備え、前記ポスト本体の上面において前記台状部の周囲となる部位から突出するように支持部を設け、かつ前記上蓋に被支持部を設け、前記支持部及び前記被支持部を介して前記ポスト本体に前記上蓋を回転可能に支持させたポストであって、前記上蓋において前記ポスト本体の上面に対向する内表面には、前記支持部と前記台状部との間となる部位に前記ポスト本体の上面に向けて突出する隔壁部を設けたことを特徴とする。
【０００８】
この発明によれば、支持部と台状部との間に設けた隔壁部は、上蓋を開くに従ってポスト本体の上面から離隔するようになるため、突出寸法を制限する必要がなく、上蓋の大きさをポスト本体の上面よりも小さく構成した場合にも、確実に水の浸入を妨げることができるようになる。
【０００９】
また本発明は、上述したポストにおいて、前記支持部には、前記上蓋の内表面に向けて突出し、かつ前記上蓋の回転軸芯に沿って延在する止水リブを設けたことを特徴とする。
【００１０】
この発明によれば、支持部と上蓋との隙間から水が浸入するのを防止することができ、止水性をさらに向上することが可能となる。
【００１１】
また本発明は、上述したポストにおいて、前記ポスト本体の上面に対して前記上蓋の上部外表面を傾斜させたことを特徴とする。
【００１２】
この発明によれば、上蓋の上部外表面に水が貯留されることがなくなるため、上蓋を開いた際に貯まっていた水がポスト本体の内部に流れ落ちるという事態も生じ得ない。
【００１３】
また本発明は、上述したポストにおいて、前記台状部において前記上方開口の周囲全周となる部位に上方に向けて開口周壁部を突設したことを特徴とする。
【００１４】
この発明によれば、台状部の上面に水が到達したとしても、開口周壁部によってポスト本体の内部への浸入が阻止される。
【００１５】
また本発明は、上述したポストにおいて、前記台状部は、前記ポスト本体の縁部に向けて漸次低くなる傾斜面を有したことを特徴とする。
【００１６】
この発明によれば、台状部の上面に水が到達したとしても、傾斜面に沿って流れ落ちることになり、台状部の上面に水が貯留される事態を防止できる。
【００１７】
また本発明は、上述したポストにおいて、前記上蓋は、前端から垂下する前壁部を有したものであり、前記前壁部の下縁部には、前方に向けて突起を設けたことを特徴とする。
【００１８】
この発明によれば、前壁部を伝った水が突起によって前方に案内され、前壁部の下端とポスト本体との隙間に至る事態を防止することができる。
【００１９】
また本発明は、上述したポストにおいて、前記ポスト本体において前記前壁部の下端に対向する部位には、前方に向けて漸次下方となるように傾斜する傾斜部を設けたことを特徴とする。
【００２０】
この発明によれば、前壁部の下端とポスト本体との隙間に水が滞留する事態を防止することができる。
【発明の効果】
【００２１】
本発明によれば、支持部と台状部との間に設けた隔壁部は、上蓋を開くに従ってポスト本体の上面から離隔するようになるため、突出寸法を制限する必要がなく、上蓋の大きさをポスト本体の上面よりも小さく構成して開閉操作性を良好とした場合にも、確実に水の浸入を妨げることができるようになる。
【図面の簡単な説明】
【００２２】
【図１】図１は、本発明の実施の形態であるポストの斜視図である。
【図２】図２は、図１に示したポストを側方から見たもので、（ａ）は上蓋を閉じた状態の側面図、（ｂ）は上蓋を開けた状態の側面図である。
【図３】図３は、図１に示したポストを上方から見たもので、（ａ）は前扉を閉じた状態の平面図、（ｂ）は前扉を開けた状態の平面図である。
【図４】図４は、図１に示したポストの図２の（ａ）におけるＸ−Ｘ線要部拡大断面図である。
【図５】図５は、図１に示したポストにおいて支持部の相互間を切断した要部拡大縦断面図である。
【図６】図６は、図５において上蓋を開けた状態の要部拡大縦断面図である。
【図７】図７は、図１に示したポストにおいて支持部を切断した要部拡大縦断面図である。
【図８】図８は、図７において上蓋を開けた状態の要部拡大縦断面図である。
【発明を実施するための形態】
【００２３】
以下、添付図面を参照しながら本発明に係るポストの好適な実施の形態について詳細に説明する。
図１〜図３は、本発明の実施の形態であるポストを示したものである。ここで例示するポストは、屋外に設置されることを前提としたもので、直方体状を成すポスト本体１０の前面に取出口１１を有し、かつポスト本体１０の上方部に上方に開口する投函口（上方開口）１２を有している。
【００２４】
取出口１１は、ポスト本体１０の前面ほぼ全域に開口する大きさを有したものである。ポスト本体１０において取出口１１の開口周縁となる部分には、上縁壁部１３ａ、下縁壁部１３ｂ及び左右の側縁壁部１３ｃが設けてある。上縁壁部１３ａ、下縁壁部１３ｂ及び左右の側縁壁部１３ｃは、それぞれ薄板状を成すもので、取出口１１の開口周縁部に矩形状の前方周壁１３を構成している。図中の符号１４は、上縁壁部１３ａの前端及び左右の側縁壁部１３ｃの前端に配設したクッション材である。
【００２５】
図５及び図７に示すように、このポスト本体１０では、ポスト本体１０の上面を構成する上壁部１０ａと上縁壁部１３ａとの間に上下方向に延在する前端壁部１０ｂが設けてあり、上縁壁部１３ａがポスト本体１０よりも一段低くなるように構成してある。上壁部１０ａと前端壁部１０ｂとの間には、前方に向けて漸次下方に傾斜する傾斜部１０ｃが設けてある。
【００２６】
図１、図５及び図７に示すように、上縁壁部１３ａの上面には、２つの止水壁１５，１６が前後に並んで配設してある。止水壁１５，１６は、それぞれ上縁壁部１３ａから上方に向けて突出した薄板状部材であり、上縁壁部１３ａの幅方向に沿った全長にわたる部位に設けてある。図からも明らかなように、個々の止水壁１５，１６は、ポスト本体１０の上面１０ｄよりも上方に突出しており、ポスト本体１０の前端壁部１０ｂとの間に第１の樋部１７を構成し、かつ互いの間に第２の樋部１８を構成している。図４に示すように、それぞれの樋部１７，１８の内底面１７ａ，１８ａは、中央部分が最も高い位置となり、両側の開放端に向けて漸次低くなるように傾斜している。なお、２つの止水壁１５，１６を区別する場合には、上縁壁部１３ａの後方側に設けたものを第１の止水壁１５と称し、前方側に設けたものを第２の止水壁１６と称することとする。
【００２７】
投函口１２は、図５及び図７に示すように、ポスト本体１０の上面１０ｄに設けた台状部１９の上端に開口するように形成したものである。台状部１９は、左右寸法及び前後寸法がそれぞれポスト本体１０の横断面よりも小さくなるように構成したもので、周囲にそれぞれポスト本体１０の上面１０ｄを確保した状態でポスト本体１０の上面１０ｄから上方に突出するように設けてある。台状部１９の後面１９ａからポスト本体１０の後端縁１０ｅまでの寸法は、台状部１９の前面１９ｂからポスト本体１０の前端縁までの寸法及び台状部１９の側面１９ｃからポスト本体１０の側端縁までの寸法よりも大きく設定してある。
【００２８】
図１、図５及び図７に示すように、台状部１９には、両側となる部位にそれぞれ支持台部１９ｄが設けてあり、かつこれら支持台部１９ｄの相互間となる部位に前方傾斜面１９ｅ及び後方傾斜面１９ｆが設けてある。支持台部１９ｄは、厚板の平板状を成すもので、台状部１９の両側部分から互いに平行となる状態で上方に突出している。支持台部１９ｄの上面は、ポスト本体１０の上面１０ｄとほぼ平行となるように延在している。支持台部１９ｄの上面において前方側に位置する部分には、それぞれクッション材２０が配設してある。前方傾斜面１９ｅは、前方に向けて漸次下方となるように傾斜したものであり、後方傾斜面１９ｆは、後方に向けて漸次下方となるように傾斜したものである。本実施の形態では、台状部１９の後方側に大きく偏った部分において左右方向に延在する稜線１９ｇを境界として前方傾斜面１９ｅと後方傾斜面１９ｆとが隣接するように構成してある。上述した投函口１２は、前方傾斜面１９ｅにおいて上方に開口するように形成してある。前方傾斜面１９ｅと後方傾斜面１９ｆとの隣接境界となる稜線１９ｇの高さは、支持台部１９ｄの上面よりも低い位置となるように設定してある。図からも明らかなように、投函口１２の周囲全周となる部分には、上方に向けて突出するように開口周壁部１２ａが設けてある。
【００２９】
ポスト本体１０の上面１０ｄにおいて台状部１９の後面１９ａからポスト本体１０の後端縁１０ｅまでの間に位置する部位には、２つの支持部２１が設けてある。支持部２１は、図１及び図７に示すように、それぞれポスト本体１０の上面１０ｄから上方に突出した部分であり、個々の上端部に軸挿通孔２１ａを有している。軸挿通孔２１ａは、ポスト本体１０の左右方向に沿って貫通したもので、互いに同一の軸芯となる位置にほぼ水平となるように設けてある。図からも明らかなように、支持部２１の上端部は、軸挿通孔２１ａの軸芯を中心とした円柱状の曲面となるように形成してあり、その頂部に止水リブ２２を有している。止水リブ２２は、幅の細い突条であり、軸挿通孔２１ａの軸芯を通過する仮想の鉛直面に沿って延在している。
【００３０】
上述のポスト本体１０には、前扉３０及び上蓋４０が設けてある。前扉３０はポスト本体１０の取出口１１を開閉するためのものであり、上蓋４０はポスト本体１０の投函口１２を開閉するためのものである。
【００３１】
前扉３０は、図１に示すように、ポスト本体１０の前面において前方周壁１３及び止水壁１５，１６を覆うことのできる大きさを有した矩形状を成す前扉本体３１と、前扉本体３１の四周からそれぞれ同一方向に屈曲した上部カバー壁部３２、下部カバー壁部３３及び左右の側部カバー壁部３４とを有したものである。この前扉３０は、ポスト本体１０の一方の側縁壁部１３ｃとの間に設けたヒンジ３５により、上下方向に沿った軸芯を中心として回転可能に配設してある。本実施の形態では、正面から見た場合に右側となる部分にヒンジ３５が設けてあり、図３に示すように、前扉３０を右側に開くことが可能である。前扉３０を閉じた状態においては、上部カバー壁部３２、下部カバー壁部３３及び左右の側部カバー壁部３４によって囲まれる空間にポスト本体１０の前方周壁１３及び上縁壁部１３ａに設けた２つの止水壁１５，１６が配置されることになる。
【００３２】
図５及び図７に示すように、前扉３０の上部カバー壁部３２は、前扉３０を閉じた場合に２つの止水壁１５，１６を越えて後方に延在し、その後端縁が第１の樋部１７の上方域に達する寸法に形成してある。この上部カバー壁部３２には、垂下壁部３６が設けてある。垂下壁部３６は、上部カバー壁部３２の後縁部から下方に向けてほぼ直角となるように突出したものである。図からも明らかなように、この垂下壁部３６は、止水壁１５，１６の上端よりも上方となる位置に下端が位置しており、前扉３０の開閉の際に止水壁１５，１６と干渉することはない。
【００３３】
上蓋４０は、ポスト本体１０の上面１０ｄにおいて台状部１９を覆うことのできる大きさを有した上蓋本体４１と、上蓋本体４１の四周から内表面側に向けて延在した前壁部４２、後壁部４３及び左右の側壁部４４とを有したものである。前壁部４２には、延在端の縁部に突起４５が設けてある。突起４５は、前壁部４２の延在端に向けて漸次前方に向けて突出するように形成したもので、前壁部４２においてポスト本体１０の傾斜部１０ｃに対向する部位の全長にわたって設けてある。
【００３４】
この上蓋４０には、図１に示すように、上蓋本体４１の内表面４１ａにおいて後壁部４３に近接した部分に対を成す支持ヒレ部（被支持部）４６が２カ所にそれぞれ設けてある。支持ヒレ部４６は、上蓋本体４１の内表面４１ａから突出したもので、個々の突出端部に軸挿通孔４６ａを有している。それぞれ対を成す支持ヒレ部４６は、互いの間にポスト本体１０の支持部２１を挿通した状態で、それぞれの軸挿通孔２１ａ，４６ａにヒンジ軸４７を貫通保持させることにより、図２に示すように、ヒンジ軸４７の軸芯を回転軸芯として上蓋４０をポスト本体１０に対して回転可能に支持するものである。
【００３５】
図５及び図７に示すように、上蓋４０の後端縁４０ａは、ポスト本体１０の後面よりも前方となる位置において終端している。図６に示すように、上蓋４０の後壁部４３は、上蓋４０を開けた場合にポスト本体１０の上面１０ｄとの干渉を避けるため、前壁部４２及び側壁部４４に比べて突出寸法が短く設定してある。特に、支持ヒレ部４６に対応する部位の後壁部４３は、図８に示すように、支持部２１との干渉を避けるために他の部分の後壁部４３よりも突出寸法がさらに短く設定してある。
【００３６】
図５及び図７に示すように、上蓋４０を閉じた状態においては、支持台部１９ｄのクッション材２０が上蓋本体４１の内表面４１ａに当接し、投函口１２の上方部が覆われることになる。このとき、このポストでは、上蓋本体４１の板厚、支持部２１の高さ、支持ヒレ部４６の突出寸法、支持台部１９ｄの突出高さ及びクッション材２０の板厚を適宜調整し、上蓋４０の上部外表面４１ｂが後方に向けて漸次低くなるように設定してある。上蓋４０において最も上方となる前壁部４２の上縁の高さは、前扉３０の上部カバー壁部３２を越えない位置となるように調整してある。また、上蓋４０を閉じた状態では、支持部２１に設けた止水リブ２２の頂面部が上蓋本体４１の内表面４１ａにほぼ接触した位置となるように設定してある。
【００３７】
上蓋４０の前壁部４２は、台状部１９の前面１９ｂと前扉３０の垂下壁部３６との間において下方に垂下し、ポスト本体１０の上壁部１０ａと前端壁部１０ｂとの間に設けた傾斜部１０ｃの上方で終端している。前壁部４２は、上端部が前扉３０の垂下壁部３６に対向し、下端の突起４５が前扉３０の垂下壁部３６よりも下方において第１の止水壁１５に対向した状態にある。
【００３８】
また、上蓋４０には、上蓋本体４１の内表面４１ａにおいて支持ヒレ部４６の前縁となる部位に隔壁部４８が設けてある。隔壁部４８は、上蓋４０を閉じた場合にポスト本体１０の上面１０ｄに向けてほぼ鉛直に延在するように突出したヒレ状部分である。図５に示すように、対を成す支持ヒレ部４６の外側に設けた隔壁部４８は、上蓋４０を閉じた状態において台状部１９の後面１９ａ上端と対向する位置まで延在している。対を成す支持ヒレ部４６の間に設けた隔壁部４８′は、図７及び図８に示すように、支持部２１に設けた止水リブ２２との干渉を避けるため、上蓋４０を閉じた状態において台状部１９の後面１９ａよりもわずかに上方となる位置で終端している。
【００３９】
上記のように構成したポストは、家屋の壁面等のように鉛直方向に沿った取付面Ｗにポスト本体１０の後面を当接させた状態で設置される。この設置状態においては、前方に位置する前扉３０がポスト本体１０の前面及び閉じた状態の上蓋４０を覆い隠すことになるため、前扉３０が上端から下端にわたって連続するように現れることになり、外観品質が向上する。また、上蓋４０の後端縁４０ａをポスト本体１０の後面よりも前方となる位置に配置し、かつ後壁部４３の突出寸法を前壁部４２及び側壁部４４に比べて短く設定し、さらに支持ヒレ部４６に対応する部位の後壁部４３についてはさらに突出寸法を短く設定しているため、上蓋４０が取付面Ｗやポスト本体１０の上面１０ｄ及び支持部２１に干渉することがなく、上蓋４０に良好な開閉操作性を確保することができる。
【００４０】
ここで、前扉３０においては、上部カバー壁部３２の後縁部に垂下壁部３６を設けるようにしている。このため、降雨等によって上部カバー壁部３２に水が付着したとしても、付着した水は垂下壁部３６の下端において第１の樋部１７に滴下することになり、上部カバー壁部３２の裏面を伝って取出口１１の開口側へ浸入するおそれがなくなる。さらに、上縁壁部１３ａの上面において垂下壁部３６よりも前方に位置する部位に２つの止水壁１５，１６を前後に並設しているため、降雨量が増えて第１の樋部１７に貯留された水が第１の止水壁１５を超えたとしても、第２の止水壁１６によって取出口１１への浸入が妨げられることになる。しかも、それぞれの樋部１７，１８においては、内底面１７ａ，１８ａが両端に向けて下方に傾斜しているため、順次両端から直ちに排出されて水が長い時間貯留することがない。これにより、取出口１１からポスト本体１０の内部に水が浸入するリスクも減少する。従って、前扉３０によってポスト本体１０の前面全域を覆うように構成した結果、前扉３０とポスト本体１０との境界が上方に開口する隙間となって現れることになっても、当該隙間を要因として取出口１１からポスト本体１０の内部に水が浸入する事態を確実に防止することができるようになる。
【００４１】
一方、上蓋４０の前端部においては、閉じた状態において上部外表面４１ｂを後方に向けて低くなるように傾斜させているため、上蓋４０の上部外表面４１ｂに水が貯留される事態や、上蓋４０に滴下した水が第１の樋部１７や第２の樋部１８に流れ落ちる事態を大幅に減少することができる。また、上蓋４０の前壁部４２に設けた突起４５は、前壁部４２を伝ってきた水を前方側に案内し、第１の樋部１７に滴下させるように機能する。さらに、ポスト本体１０の前端壁部１０ｂに設けた傾斜部１０ｃは、水を第１の樋部１７に排出するように機能し、上蓋４０の前壁部４２との間に水が貯留する事態を防止する。従って、上蓋４０を開く際に前壁部４２の下面に水が付着している状況を未然に防止することができ、上蓋４０から投函口１２を介してポスト本体１０の内部に水が滴下する事態がほとんどなくなる。
【００４２】
また、上蓋４０の後端部においては、上蓋本体４１の内表面４１ａに隔壁部４８を設けるようにしているため、さらには、支持部２１の上端部に止水リブ２２を設けるようにしているため、ポスト本体１０の上面１０ｄで降雨等の水が勢い良く跳ね返ったとしても、これら隔壁部４８及び止水リブ２２が水の浸入を妨げ、上蓋本体４１の内表面４１ａに水が付着する事態を防止することができる。しかも、投函口１２の周囲となる部位には、開口周壁部１２ａが設けてあるため、さらに、投函口１２の周囲となる台状部１９の上面を前方傾斜面１９ｅ及び後方傾斜面１９ｆで構成しているため、仮に台状部１９の上面に水が到達したとしても投函口１２からポスト本体１０の内部に浸入することなく周囲に流れ落ちることになる。従って、上蓋４０の開閉操作性を確保すべく、上蓋４０をポスト本体１０の上面１０ｄよりも小さく構成し、かつ後壁部４３の突出寸法を短く設定したものにあっても、ポスト本体１０の内部への止水性を向上させることが可能となる。
【００４３】
なお、上述した実施の形態では、前面に取出口及び前扉を備えたポストを例示しているが、本発明は必ずしもこれに限定されず、取出口の位置はその他の面にあっても構わない。また、後縁がヒンジとなるように上蓋４０をポスト本体１０に支持させているが、ヒンジの位置は上蓋の後縁である必要はない。なお、ヒンジ軸４７は、支持部２１及び支持ヒレ部４６とは別体に設けているが、ポスト本体１０と一体にヒンジ軸を設けたり、上蓋４０と一体にヒンジ軸を設けるようにしても構わない。さらに、支持部２１に止水リブ２２を設けるようにしているため、止水性の点で有利となるが、必ずしも止水リブを設ける必要はない。なお、止水リブ２を設ける場合に上述した実施の形態では支持部２１の上端部に設けるようにしているが、必ずしも上端である必要はなく、隔壁部４８′との干渉を避けられる位置であれば、後壁部４３に近接した部位に設けるようにしても良い。またさらに、上蓋４０の上部外表面４１ｂを後方に向けて低くなるように傾斜させているが、傾斜の方向は任意である。また、台状部１９に２つの傾斜面１９ｅ，１９ｆを設けるようにしているが、一方に傾斜させれば十分であり、傾斜の方向も実施のものに限らない。
【符号の説明】
【００４４】
１０  ポスト本体、１０ｃ  傾斜部、１０ｄ  上面、１２  投函口、１２ａ  開口周壁部、１９  台状部、１９ｅ  前方傾斜面、１９ｆ  後方傾斜面、２１  支持部、２２  止水リブ、４０  上蓋、４１ａ  内表面、４１ｂ  上部外表面、４２  前壁部、４５  突起、４６  支持ヒレ部、４８  隔壁部
【図１】
0006576282.tif 000002
【図２】
0006576282.tif 000003
【図３】
0006576282.tif 000004
【図４】
0006576282.tif 000005
【図５】
0006576282.tif 000006
【図６】
0006576282.tif 000007
【図７】
0006576282.tif 000008
【図８】
0006576282.tif 000009